(57)【要約】【課題】    棟用の基礎材の側面に塗られた塗布物が脱落することを防止又は減少させることができる棟用の基礎材を提供する。【解決手段】建物の屋根の棟に沿って配設され棟を形成する基礎材であって、屋根に支持された支持部材に下面が支持され、棟に沿った方向である基準方向に沿った一縁を有する上面部と、上面部の該一縁に連なる上縁と、屋根上面に沿う下縁と、該上縁と該下縁との間に形成され凹部が形成された側面と、を有する側面部と、を備えてなるものである、棟用の基礎材である。【選択図】  図９
0003135315.tif 000002
【実用新案登録請求の範囲】
【請求項１】
建物の屋根の棟に沿って配設され棟を形成する基礎材であって、
屋根に支持された支持部材に下面が支持され、棟に沿った方向である基準方向に沿った一縁を有する上面部と、
上面部の該一縁に連なる上縁と、屋根上面に沿う下縁と、該上縁と該下縁との間に形成され凹部が形成された側面と、を有する側面部と、
を備えてなるものである、棟用の基礎材。
【請求項２】
基準方向に対して垂直な鉛直平面によるいずれかの断面において、側面部の側面から凹部に入る下側の入り口縁部よりも、該いずれかの断面において凹部のいずれかの内部空間位置が、側面部の側面に沿った両方向のうち下方に位置するものである、請求項１に記載の棟用の基礎材。
【請求項３】
前記下側の入り口縁部が、尖った突条を構成するものである、請求項２に記載の棟用の基礎材。
【請求項４】
前記いずれかの断面における凹部の内部空間が、開口を一辺とする平行四辺形を略構成するものである、請求項３に記載の棟用の基礎材。
【請求項５】
側面部が、該側面から内側に向かって広くなるようにテーパが設けられた複数のスリットを有するものである、請求項１乃至４のいずれか１に記載の棟用の基礎材。
【考案の詳細な説明】
【技術分野】
【０００１】
本考案は、棟用の基礎材に関し、より詳細には、和風建築に於ける棟を構築する際に使用する基礎的な部材（棟用の基礎材）に関する。
【背景技術】
【０００２】
従来の和風建築に於ける屋根の棟は、対向する最上段の桟瓦の間に粘土を載せて土台を形成し、その上にのし瓦と粘土とを交互に積み重ね、最後にがんぶり瓦を載せていた。簡単には、のし瓦を使用しないで、土台の上に直接がんぶり瓦を載せることもあった。
しかし、このような従来の棟構築は、粘土が次第に入手困難になってコスト高となるうえ、作業員にとっては衣服や体が汚れる重労働であり、しかも風雨、地震による粘土の劣化による雨漏りが生じたり、通気の悪さから桟瓦の下から湿気が棟内部にこもるなどの欠点があった。
【０００３】
そこで、本出願人は、これら従来の棟構築の問題を鑑み、棟構築を容易になしうる棟用の基礎材を種々発明してきた（例えば、特許文献１、特許文献２、特許文献３、特許文献４）。
例えば、特許文献３では、「屋根の棟構築に当り、粘土に替えて用いる断面がコ字状の基礎材の脚部下端を桟瓦の形状に合わせて切断する手間、切り屑の回収の手間を省く。」（要約の課題）ためになされたものであり、具体的には、「断面が下に開口するコ字状体を長手方向に２分割してなる、上部２と脚部８とからなる２個の構成体１Ａ、１Ｂで構成される。スリット１０群が設けられた脚部下端は、葺いた桟瓦の形状に合わせて形成されて、一の構成体の上部から一方の接合片５ａが、他の構成体の上部から接合片５ａを重ねる他方の接合片５ｂが突設されている。予め脚部下端が桟瓦の形状に合わせて形成されているため、切断の手間と切り屑の回収の手間が省ける。」（要約の解決手段）ことに加え、「スリット１０には、図５で示すように、内側に向かって広くなるようにテーパが設けられており、後述するように、桟瓦と基礎材とを漆喰で固定するとき、漆喰がスリットから抜けて外側へ漏れないよう、又、漆喰が乾燥して固化したとき、基礎材と桟瓦を強固に固定できるようにしている。」（発明の詳細な説明の段落番号００１０）ものが開示されている。なお、このような特許文献３に開示された棟用の基礎材は、「例えば図６で示すように・・・・突き合わせた野地板２２に棟金具２３を釘で固定する。この棟金具に棟垂木２４を釘で固定して、・・・・構成体１Ａの脚部８を、対向する一方の最上段の桟瓦２１の波形凹凸形状に、構成体１Ｂの脚部８を他方の最上段の桟瓦の波形凹凸形状に、・・・・それぞれ合わせる。そして、前述の接合片を重ねたのち、ワッシャを介してビス２５を両接合片の重なった部分に台座から通して両構成片１Ａ、１Ｂを連結するとともに、銅線２６を巻き付けたビスを棟垂木２４にねじ込んで、基礎材１を棟垂木に固定して、対向する最上段の桟瓦に基礎材を跨座させる。・・・・棟垂木２４に固定した基礎材１の両側の側面に漆喰２７を塗る。漆喰が半乾きになると、基礎材の上に大のし瓦２８を載せ、その上にのし瓦２９を複数枚載せて、最上段ののし瓦の上にがんぶり瓦３０を載せる。最後に、大のし瓦、のし瓦、がんぶり瓦の穴に順次通しておいた銅線２６をがんぶり瓦の上で結べば棟が完成する。」（発明の詳細な説明の段落番号００１３〜００１５）というものである。なお、特許文献４は、特許文献３に係る特許出願に基づく特許公報である。
【０００４】
【特許文献１】特開平１１−２９３８５４号公報（要約、発明の詳細な説明の段落番号０００８〜００１３、第１図等）
【特許文献２】特開２０００−２３０２９８号公報（要約、発明の詳細な説明の段落番号０００８〜００１４、第１図等）
【特許文献３】特開２００２−４７７６１号公報（要約、発明の詳細な説明の段落番号０００８〜００１５、第１図〜第５図等）
【特許文献４】特許第３９３０６７９号明細書
【考案の開示】
【考案が解決しようとする課題】
【０００５】
上記した特許文献３に開示された棟用の基礎材は、棟垂木２４に固定した基礎材１の両側の側面に漆喰２７のような塗布物が塗られると、スリット１０に漆喰２７（塗布物）が進入し漆喰２７（塗布物）が固化することで、桟瓦と基礎材とが漆喰（塗布物）で固定される。先述したように、このときスリット１０には、内側に向かって広くなるようにテーパが設けられているので、漆喰（塗布物）がスリットから抜けて外側へ漏れにくくなっているが、基礎材１の側面から漆喰２７（塗布物）が脱落することがあり、これにより棟構造が破壊されることがある。
【０００６】
そこで、本考案では、棟用の基礎材の側面に塗られた塗布物（特許文献３においては漆喰２７）が脱落することを防止又は減少させることができる棟用の基礎材を提供することを目的とする。
【課題を解決するための手段】
【０００７】
本考案の棟用の基礎材（以下、「本基礎材」という。）は、建物の屋根の棟に沿って配設され棟を形成する基礎材であって、屋根に支持された支持部材に下面が支持され、棟に沿った方向である基準方向に沿った一縁を有する上面部と、上面部の該一縁に連なる上縁と、屋根上面に沿う下縁と、該上縁と該下縁との間に形成され凹部が形成された側面と、を有する側面部と、を備えてなるものである、棟用の基礎材である。
【０００８】
本基礎材は、上面部と側面部とを備える棟用の基礎材であり、特許文献３に開示された棟用の基礎材と同様、建物の屋根の棟に沿って配設され棟を形成する基礎材である。
上面部は、屋根に支持された支持部材（特許文献３においては、棟金具２３に固定された棟垂木２４が該当する。）に下面が支持され、棟に沿った方向である基準方向に沿った一縁を有する。
側面部は、上面部の該一縁に連なる上縁と、屋根上面に沿う下縁と、該上縁と該下縁との間に形成された側面と、を有している。そして、側面には、凹部が形成されている。
このため本基礎材によれば、本基礎材（棟用の基礎材）の側面に塗られた塗布物（特許文献３においては漆喰２７）は、側面に形成された凹部に進入し固化することで、該固化した塗布物（特許文献３においては漆喰２７）が凹部に係合し、塗布物（特許文献３においては漆喰２７）が側面から脱落することを防止又は減少させることができる。
【０００９】
基準方向に対して垂直な鉛直平面によるいずれかの断面において、側面部の側面から凹部に入る下側の入り口縁部よりも、該いずれかの断面において凹部のいずれかの内部空間位置が、側面部の側面に沿った両方向のうち下方に位置するもの（以下、「下方位置本基礎材」という。）であってもよい。
こうすることで該いずれかの内部空間位置に塗布物（特許文献３においては漆喰２７）が進入し固化すると、該固化した塗布物（特許文献３においては漆喰２７）が、側面部の側面から凹部に入る下側の入り口縁部よりも側面部の側面に沿った両方向のうち下方に位置するので、該固化した塗布物（特許文献３においては漆喰２７）を凹部から抜き取るためには重力に抗して抜き取る必要（通常起こりにくい）があることから、該固化した塗布物（特許文献３においては漆喰２７）が凹部に確実に係合し、塗布物（特許文献３においては漆喰２７）が側面から脱落することを確実に防止又は減少させることができる。
なお、該いずれかの断面において「側面部の側面に沿った両方向のうち下方に位置する」とは、該断面において側面部の側面に沿った両方向に平行な直線（即ち、該側面に平行な直線）に下側の入り口縁部から下ろした垂線の足と、該直線にいずれかの内部空間位置から下ろした垂線の足と、を考え、下側の入り口縁部の該足よりも、いずれかの内部空間位置の該足が下方に存することをいう。
【００１０】
下方位置本基礎材の場合、前記下側の入り口縁部が、尖った突条を構成するもの（以下、「突条構成本基礎材」という。）であってもよい。
こうすることで凹部の内部空間にて固化した塗布物（特許文献３においては漆喰２７）を凹部から抜き取るためには、前述のように重力に抗して抜き取る必要（通常起こりにくい）があることに加え、前記下側の入り口縁部の尖った突条に沿って固化した塗布物（特許文献３においては漆喰２７）は、前記下側の入り口縁部の尖った突条と確実に係合し、固化した塗布物（特許文献３においては漆喰２７）が側面から脱落することを一層確実に防止又は減少させることができる。
【００１１】
突条構成本基礎材の場合、前記いずれかの断面における凹部の内部空間が、開口を一辺とする平行四辺形を略構成するものであってもよい。
こうすることで凹部を形成しやすく、さらに本基礎材（棟用の基礎材）の側面に塗布物（特許文献３においては漆喰２７）を塗布する際に塗布物（特許文献３においては漆喰２７）が凹部に進入しやすくなるので、塗布物（特許文献３においては漆喰２７）の塗布作業を容易ならしめると共に塗布物（特許文献３においては漆喰２７）を凹部に充分係合させることで塗布物（特許文献３においては漆喰２７）が側面から脱落することをうまく防止又は減少させることができる。
【００１２】
本基礎材では、側面部が、該側面から内側に向かって広くなるようにテーパが設けられた複数のスリットを有するものであってもよい。
かかる複数のスリットは、側面部の側面から該側面の裏面（内側に面する）まで貫通した貫通穴を形成するものであり、上記した特許文献３におけるスリット１０と同様のものである。このためスリットに塗布物（特許文献３においては漆喰２７）が進入し固化することで、桟瓦と本基礎材とが塗布物で固定される。そしてこのとき本基礎材における複数のスリットが該側面から内側に向かって広くなるようにテーパが設けられることで、塗布物（特許文献３においては漆喰２７）がスリットから抜けて脱落することを防止又は減少させる。該テーパがつけられた複数のスリットを側面部が有することで、凹部に進入し固化することで側面から脱落することを防止等された塗布物（特許文献３においては漆喰２７）の一部が、かかる複数のスリットに進入し固化することで桟瓦と本基礎材とが塗布物で確実に固定され維持される。
【考案を実施するための最良の形態】
【００１３】
本考案の実施の形態を図面を参照して詳述するが、本考案はこれに限定されるものではない。
【００１４】
図１は、一例の本考案の棟用の基礎材（本基礎材）１１の正面図であり、図２は本基礎材１１の平面図（図１中、矢印Ｄ方向から見たところを示している。）であり、図３は図１のＡ−Ａ断面図であり、図４は図１のＢ−Ｂ断面図であり、図５は図１のＣ−Ｃ断面図であり、そして図６は凹溝５１の拡大断面図（図３及び図４中の点線にて描かれた円Ｆ中を拡大している。なお、ここでは凹溝５１は長手方向（図１及び図２中、矢印Ｌにて示す。後述する基準方向と同じ方向である。）に対して垂直な平面によるいずれの断面（図３及び図４のいずれも該断面を示している。）においても略同じ形状及び寸法をしており、このため図３の円Ｆ及び図４の円Ｆ中に描かれた凹溝５１の形状及び寸法は略同一である。）である。図１乃至図６を参照して、本基礎材１１について説明する。
本基礎材１１は、大まかには、長手方向（図１及び図２中、矢印Ｌにて示す。後述する基準方向と同じ方向である。）に長辺が沿った略長方形を両主表面がした板状部材（短冊状）によって構成された上面部２１と、上面部２１の長縁２３（該両主表面が形成する略長方形が有する１の該長辺に沿って形成される縁）に上縁４３が連なる側面部４１と、を備え、樹脂材料によって一体に形成されている。
なお、「上」や「下」とは、本基礎材１１が棟を形成するように配設された状態において、上（鉛直上方向の成分を有する。）と下（鉛直下方向の成分を有する。）とをそれぞれいい、図中、上方向を矢印Ｊにて示し、下方向を矢印Ｋにて示している。また、「鉛直」とは、本基礎材１１が棟を形成するように配設された状態における鉛直をいう。
【００１５】
上面部２１は、上述のように、両主表面が略同じ形状の長方形である板状の部材によって形成されており、該長方形の長辺２５ａ、２５ｂが長手方向Ｌに略平行になっている。
上面部２１の上面２７には、長手方向Ｌに略平行な長辺２５ａ、２５ｂと略平行になるよう、突条形状をした畝部２９が長手方向Ｌに沿って連続して形成されている。畝部２９は、本基礎材１１が長手方向Ｌに連続して複数個配設される場合に該連続して配設される複数の本基礎材１１がまっすぐになっているかどうかを確認するために用いられる（例えば、連続して配設される複数の本基礎材１１の畝部２９全てが、一直線上に沿っているかどうかを確認すればよい。）。
【００１６】
側面部４１は、長手方向Ｌに対して垂直な平面による断面（図３及び図４）において、上底よりも下底が長い略台形をした側面上部Ｐ１と、側面上部Ｐ１の該下底に一辺が重なる三角形をした側面下部Ｐ２と、を有してなる。
側面上部Ｐ１の該上底部分は、上面部２１の長縁２３に連なる上縁４３を形成している。
側面下部Ｐ２は、該断面において側面上部Ｐ１の該下底に一辺が連なる三角形形状を有しており、長手方向Ｌに沿って等間隔にて複数のスリット４７が形成されている。複数のスリット４７はいずれも同じ寸法及び形状を有しており、外側１０１から内側１０３に向かって広くなるようにテーパが設けられている（特に、図５を参照されたい。なお、テーパが理解されやすいよう、図５においてはテーパの度合いを誇張して示している。）。
なお、後述のように、側面下部Ｐ２の下縁４９は、本基礎材１１が棟を形成するように配設されるとき、屋根上面に沿う下縁を構成する。
【００１７】
側面部４１は、上縁４３と下縁４９との間に形成された側面４５（外側１０１に面する平面状の側面）を有する。そして、側面４５には、長手方向Ｌに沿った凹条形状の凹部たる凹溝５１が形成されている。
凹溝５１の内部空間５３は、図６に示す断面（図３及び図４と同様、長手方向Ｌに対して垂直な断面）においては、凹溝５１の内部空間５３と外部空間７１とを連絡する開口５４を一辺５５ａ（図６中、点線にて示す。）とする平行四辺形を略構成している。具体的には、開口５４により形成される一辺５５ａと、一辺５５ａに略平行な一辺５５ｂと、一辺５５ａと一辺５５ｂとに交わる一辺５５ｃと、一辺５５ｃに略平行な一辺５５ｄと、の４の辺によって該平行四辺形が構成されている。なお、図６に示す断面において、側面４５が形成する線（ここでは線分）と一辺５５ｄとがなす角度Ｍは、９０度未満とされることが望ましいが、好ましくは８０度以下、より好ましくは７５度以下、最も好ましくは７０度以下であり、逆に、好ましくは４０度以上、より好ましくは５０度以上、最も好ましくは６０度以上である。
このような凹溝５１は、図６に示す断面（図３及び図４と同様、長手方向Ｌに対して垂直な断面）においては、側面部４１の側面４５から凹溝５１（凹部）に入る下側の入り口縁部Ｑ１よりも、凹溝５１（凹部）のいずれかの内部空間５３の位置（例えば、位置Ｑ２）が、側面部４１の側面４５に沿った両方向Ｒのうち下方に位置している。また、下側の入り口縁部Ｑ１は尖った突条を構成している。
【００１８】
以上説明した本基礎材１１は、前述した特許文献３の棟用の基礎材と同様に使用することができる。
まず、図７に示すように、突き合わせた野地板１２２に棟金具１２３を釘（不図示）で固定する。この棟金具１２３に棟垂木１２４を釘（不図示）で固定して、棟垂木１２４を野地板１２２の突き合わせ部分の上方に架設する。次いで、桟瓦１２１を屋根に葺き、そして図７の如く、本基礎材１１を棟の両側に配設する（以下、理解を容易にするため、２の本基礎材１１それぞれを本基礎材１１Ａと本基礎材１１Ｂとして説明する。）。具体的には、本基礎材１１Ａの下縁４９を、対向する一方の最上段の桟瓦１２１上面に、本基礎材１１Ｂの下縁４９を、他方の最上段の桟瓦１２１上面に、それぞれ沿わせて当接するよう配置する。そして、本基礎材１１Ａの上面部２１の下面（上面２７の反対面）は棟垂木１２４（支持部材）の上面に載置されると共に、本基礎材１１Ｂの上面部２１の下面（上面２７の反対面）は棟垂木１２４（支持部材）の上面に載置される。
そして、本基礎材１１Ａの上面部２１と本基礎材１１Ｂの上面部２１とは、図示しない釘等によって棟垂木１２４（支持部材）に固定される（この状態を図７に示している。なお、図７における本基礎材１１（１１Ａ、１１Ｂ）の断面は図４と同様の位置を示している。）。
【００１９】
次いで、図８に示すよう、棟垂木１２４に固定した本基礎材１１（１１Ａ、１１Ｂ）の両側の側面４５に漆喰１２７を塗る。このとき漆喰１２７が凹溝５１（内部空間５３）に十分進入し凹溝５１（内部空間５３）を満たすようにすると共に、漆喰１２７が複数のスリット４７を経由して桟瓦１２１上面に達する（漆喰１２７によって桟瓦１２１と本基礎材１１（１１Ａ、１１Ｂ）とが接着される。）ようにする。このように漆喰１２７が凹溝５１（内部空間５３）を満たし、漆喰１２７がスリット４７から桟瓦１２１上面に達するよう、本基礎材１１（１１Ａ、１１Ｂ）の両側の側面４５に漆喰１２７を塗ったところを図８（断面位置は図７に同じ。）に示している。
図８の後、漆喰１２７が所望程度乾いたところで、図９に示すように本基礎材１１（１１Ａ、１１Ｂ）の上にがんぶり瓦１３１（ここでは三角がんぶり瓦を用いている。）を載せ、がんぶり瓦１３１をビス１４１によって棟垂木１２４に固定する（具体的には、ビス１４１をがんぶり瓦１３１に貫通させ、ビス１４１先端を棟垂木１２４に打ち込む。）。
以上のようにして図９に示すような棟が完成する。
図９に示すような棟の構造においては、漆喰１２７が凹溝５１（内部空間５３）を満たし、漆喰１２７がスリット４７を経由して桟瓦１２１上面に達しているので、スリット４７が有する外側１０１から内側１０３に向かって広くなるテーパと相俟って、本基礎材１１（１１Ａ、１１Ｂ）と強固に結合した漆喰１２７が、桟瓦１２１と本基礎材１１（１１Ａ、１１Ｂ）とを頑丈に取り付けることで、堅牢及び長寿命の棟構造を形成することができる。
【００２０】
以上のように、本基礎材１１（１１Ａ、１１Ｂ）は、建物の屋根（野地板１２２と桟瓦１２１とを含んで構成される。）の棟に沿って配設され棟を形成する基礎材であって、屋根に支持された支持部材（ここでは棟垂木１２４）に下面（上面２７の反対面）が支持され、棟に沿った方向である基準方向（ここでは長手方向Ｌ）に沿った一縁（長縁２３が該当する）を有する上面部２１と、上面部２１の該一縁（長縁２３）に連なる上縁４３と、屋根上面（ここでは桟瓦１２１上面）に沿う下縁４９と、該上縁４３と該下縁４９との間に形成され凹部（ここでは凹溝５１が該当する。）が形成された側面４５と、を有する側面部４１と、を備えてなるものである、棟用の基礎材である。
そして、基準方向（ここでは長手方向Ｌ）に対して垂直な鉛直平面によるいずれかの断面（図３及び図４はいずれも該当する）において、側面部４１の側面４５から凹部（凹溝５１）に入る下側の入り口縁部Ｑ１よりも、該いずれかの断面（図３及び図４はいずれも該当する）において凹部（凹溝５１）のいずれかの内部空間５３位置（例えば、位置Ｑ２）が、側面部４１の側面４５に沿った両方向Ｒのうち下方に位置する。また、前記下側の入り口縁部Ｑ１は尖った突条を構成するものである。
加えて、前記いずれかの断面（図３及び図４はいずれも該当する）における凹部（凹溝５１）の内部空間５３が、開口５４を一辺５５ａとする平行四辺形を略構成するものである。
また、側面部４１が、該側面４５から内側１０３（ここでは対向する構成体（本基礎材１１Ａにとっては本基礎材１１Ｂであり、本基礎材１１Ｂにとっては本基礎材１１Ａである。）に近い側である内側。また、支持部材（ここでは棟垂木１２４）が存する側。）に向かって広くなるようにテーパが設けられた複数のスリット４７を有するものである（なお、ここでは複数のスリット４７のいずれも下縁４９から入り江状に連なっている。）。
【図面の簡単な説明】
【００２１】
【図１】一例の本考案の棟用の基礎材（本基礎材）の正面図である。
【図２】本基礎材の平面図である。
【図３】図１のＡ−Ａ断面図である。
【図４】図１のＢ−Ｂ断面図である。
【図５】図１のＣ−Ｃ断面図である。
【図６】凹溝の拡大断面図である。
【図７】本基礎材を用いて棟を形成する第１段階を示す図である。
【図８】本基礎材を用いて棟を形成する第２段階を示す図である。
【図９】本基礎材を用いて棟を形成する第３段階を示す図である。
【符号の説明】
【００２２】
１１            本基礎材
２１            上面部
２３            長縁
２５ａ、２５ｂ  長辺
２７            上面
２９            畝部
４１            側面部
４３            上縁
４５            側面
４７            スリット
４９            下縁
５１            凹溝
５３            内部空間
５４            開口
５５ａ、５５ｂ、５５ｃ、５５ｄ  一辺
７１            外部空間
１０１            外側
１０３            内側
１２１            桟瓦
１２２            野地板
１２３            棟金具
１２４            棟垂木
１２７            漆喰
１３１            がんぶり瓦
１４１            ビス
Ｐ１            側面上部
Ｐ２            側面下部
Ｑ１            下側の入り口縁部
【図１】
0003135315.tif 000003
【図２】
0003135315.tif 000004
【図３】
0003135315.tif 000005
【図４】
0003135315.tif 000006
【図５】
0003135315.tif 000007
【図６】
0003135315.tif 000008
【図７】
0003135315.tif 000009
【図８】
0003135315.tif 000010
【図９】
0003135315.tif 000011